(57)【要約】【課題】使用済みティッシュを捨てるゴミ入れを付設したコンパクトな車両用ポケットティッシュ収納器を提供する。【解決手段】  車両のカップホルダＨの保持穴Ｈ１内に挿入装着可能でゴミを収容するゴミ容器１と、当該ゴミ容器１を開閉する蓋体２とを備え、蓋体２をポケットティッシュが収納可能な中空構造とするとともに、蓋体２にティッシュ引出口２２１を設ける。ゴミ容器１を上方へ開放する容器状に成形して、当該ゴミ容器１の開口縁の一部に支持部材３を立設するとともに、蓋体２を上記開口縁の他の一部に垂直面内で回動可能に結合し、蓋体２を支持部材３に当接する位置へ回動させてゴミ容器１を閉鎖するとともに、蓋体２を支持部材３から離間するように回動させてゴミ容器１を開放する。【選択図】        図３
2008127025.tif 000002
【特許請求の範囲】
【請求項１】
車室内に装着可能でゴミを収容するゴミ容器と、当該ゴミ容器を開閉する蓋体とを備え、蓋体をポケットティッシュが収納可能な中空構造とするとともに、蓋体にティッシュ引出口を設けたことを特徴とする車両用ポケットティッシュ収納器。
【請求項２】
前記ゴミ容器を上方へ開放する容器状に成形して、当該ゴミ容器の開口縁の一部に支持部材を立設するとともに、前記蓋体を前記開口縁の他の一部に垂直面内で回動可能に結合し、前記蓋体を前記支持部材に当接する位置へ回動させて前記ゴミ容器を閉鎖するとともに、前記蓋体を前記支持部材から離間するように回動させて前記ゴミ容器を開放するようになした請求項１に記載の車両用ポケットティッシュ収納器。
【請求項３】
前記ゴミ容器を車両のカップホルダの保持穴内に挿入装着可能な形状となした請求項１又は２に記載の車両用ポケットティッシュ収納器。
【発明の詳細な説明】
【技術分野】
【０００１】
本発明は車両に容易に設置することができるゴミ入れの付いたポケットティッシュ収納器に関する。
【背景技術】
【０００２】
特許文献１には、車両のコンソールボックスに、磁性材を備えたケースホルダを設ける一方、ポケットティッシュを収納できるようにした扁平ケース体を設けて、当該ケース体をこれに設けた磁石によってケースホルダに吸着支持させるようにした車両用ポケットティッシュ収納器が示されている。  
【特許文献１】特開９−３０１０７９
【発明の開示】
【発明が解決しようとする課題】
【０００３】
しかし、上記従来のポケットティッシュ収納器では、スペースの限られた車内に、使用済みのティッシュを捨てる別個のゴミ入れを用意する必要があるという問題点があった。
【０００４】
そこで、本発明はこのような課題を解決するもので、使用済みティッシュを捨てるゴミ入れを付設したコンパクトな車両用ポケットティッシュ収納器を提供することを目的とする。
【課題を解決するための手段】
【０００５】
上記目的を達成するために、本第１発明では、車室内に装着可能でゴミを収容するゴミ容器（１）と、当該ゴミ容器（１）を開閉する蓋体（２）とを備え、蓋体（２）をポケットティッシュが収納可能な中空構造とするとともに、蓋体（２）にティッシュ引出口（２２１）を設ける。
【０００６】
本第１発明においては、ゴミ容器を車室内に装着可能とするとともに、その蓋体をポケットティッシュが収納可能な中空構造としたから、ゴミ容器を付設した、車室内に装着可能なポケットティッシュ収納器をコンパクトに実現することができる。
【０００７】
本第２発明では、上記ゴミ容器（１）を上方へ開放する容器状に成形して、当該ゴミ容器（１）の開口縁の一部に支持部材（３）を立設するとともに、蓋体（２）を上記開口縁の他の一部に垂直面内で回動可能に結合し、蓋体（２）を支持部材（３）に当接する位置へ回動させてゴミ容器（１）を閉鎖するとともに、蓋体（２）を支持部材（３）から離間するように回動させてゴミ容器（１）を開放するようにする。
【０００８】
本第３発明では、上記ゴミ容器（１）を車両のカップホルダ（Ｈ）の保持穴（Ｈ１）内に挿入装着可能な形状とする。本第３発明においては、ポケットティッシュ収納器を既存のカップホルダを利用して容易に車内へ装着することができる。
【０００９】
なお、上記カッコ内の符号は、後述する実施形態に記載の具体的手段との対応関係を示すものである。
【発明の効果】
【００１０】
以上のように、本発明の車両用ポケットティッシュ収納器は、使用済みティッシュを捨てるゴミ入れを付設したコンパクトなものである。
【発明を実施するための最良の形態】
【００１１】
図１には車両用ポケットティッシュ収納器の全体斜視図を示し、図２にはその部分断面正面図を示す。また、図３には上記ポケットティッシュ収納器の垂直断面図を、図４にはその分解斜視図を示す。ポケットティッシュ収納器はゴミ容器１を備えており、ゴミ容器１の上方にポケットティッシュが収納可能な蓋体２が設けられている。
【００１２】
ゴミ容器１は上方へ開放する有底円筒体で（図４）、その開口には支持部材３が装着されている。支持部材３は下端部３１がゴミ容器１よりもやや小径の円筒状となって、ゴミ容器１の開口内に着脱可能に装着されている（図２）。上記下端部３１の略半周から上方へ向けて支持板部３２（図４）が突出形成されている。支持板部３２は全体が矩形をなし、下方が円弧状に湾曲するとともに上方に向けて漸次平板状になっている。
【００１３】
ゴミ容器１の開口部内周面には径方向の対称位置に円形突起１１が設けてあり、一方、支持部材３の下端部３１外周には円形突起１１と対応する位置に、下端から直線状に上方へ延びた後、周方向の同方向へ湾曲するガイド溝３３が形成されて、ガイド溝３３の先端はより深い係止溝３３１となっている。ガイド溝３３の開始点を円形突起１１に合わせて支持部材３の下端部３１をゴミ容器１内に押し込み、円形突起１１をガイド溝３３の直線部に沿って相対移動させた後、ガイド溝３３の湾曲方向とは反対方向へ支持部材３を回転させると、円形突起１１がガイド溝３３先端の係止溝３３１内に嵌入して支持部材３がゴミ容器１と一体化される（図３）。
【００１４】
支持部材３の下端部３１上面には、支持板部３２が形成されていない半部に凹所３４（図２）が形成されて、当該凹所３４内に節度付与具４が装着されている。節度付与具４はＵ型に成形されたヒンジ部材４１と、その左右の側壁４１１間に配設されたＴ字形の押圧部材４２を備えており、押圧部材４２はその軸周りに設けたバネ部材４３によって上方へ付勢されている。なお、ヒンジ部材４１は凹所３４の底壁を貫通させたタッピングネジ４１２によって凹所３４内に固定されている。
【００１５】
蓋体２は支持部材３の支持板部３２とほぼ同形の矩形の厚肉板状となっており、ポケットティッシュを収納する開放容器部２１と、これの開口縁に着脱可能に係止されて開放容器部２１を閉鎖する蓋部２２とで構成されている（図３）。蓋部２２の板面中央には上下方向へ延びる一定幅のティッシュ引出口２２１が形成されている。容器部２１の下端中央には水平方向へ延びる筒状のヒンジ部２１１が形成されており、当該ヒンジ部２１１を、上記節度付与具４のヒンジ部材４１の両側壁４１１間に位置させて、これら側壁４１１とヒンジ部２１１を貫通させた軸部材４４によって、容器部２１が垂直面内で回動可能に支持部材３に結合されている。
【００１６】
ヒンジ部２１１の外周面には、節度付与具４の押圧部材４２の頭部がバネ部材４３のバネ力によって押し付けられており、上記外周面はその周方向適宜位置が面取りされて略三角形状となっている。これにより、容器部２１すなわち蓋体２は、支持部材３の支持板部３２に向けて倒れてこれの外周縁に当接する閉鎖位置（図３の実線位置）と、支持板部３２から離間して反対方向へ傾動する開放位置（図３の鎖線位置）とに節度感をもって反転付勢されて位置決めされる。
【００１７】
このようなポケットティッシュ収納器はその円筒形のゴミ容器１を図３に示すように車両のインストルメントパネルＰに設けたカップホルダＨの保持穴Ｈ１内に挿入することによって車両に容易に装着される。この状態で蓋体２のティッシュ引出口２２１からティッシュを引き出して使用した後、蓋体２を図５に示すように支持部材３から離間した開放位置へ回動させるとゴミ容器１の開口１２が開放されるから、使用後のティッシュをゴミ容器１内に捨てることができる。ポケットティッシュを新しいものに交換する場合には図６に示すように蓋体２の蓋部２２を容器部２１から離脱開放させて行う。
【図面の簡単な説明】
【００１８】
【図１】本発明の一実施形態を示す、車両用ポケットティッシュ収納器のゴミ容器閉鎖状態での全体斜視図である。
【図２】車両用ポケットティッシュ収納器の部分断面正面図である。
【図３】車両用ポケットティッシュ収納器の垂直断面図である。
【図４】車両用ポケットティッシュ収納器の分解斜視図である。
【図５】車両用ポケットティッシュ収納器のゴミ容器開放状態での全体斜視図である。
【図６】車両用ポケットティッシュ収納器の蓋体分離状態での全体斜視図である。
【符号の説明】
【００１９】
１…ゴミ容器、２…蓋体、２２１…ティッシュ引出口、３…支持部材、Ｈ…カップホルダ、Ｈ１…保持穴。
【図１】
2008127025.tif 000003
【図２】
2008127025.tif 000004
【図３】
2008127025.tif 000005
【図４】
2008127025.tif 000006
【図５】
2008127025.tif 000007
【図６】
2008127025.tif 000008